(57)【特許請求の範囲】
【請求項１】
ルアー本体と、
前記ルアー本体の前端部に設けられる釣糸用フックと
を備え、
前記釣糸用フックは、前記ルアー本体の外方へ突出する複数の山部とこれらの山部の間に設けられる谷部とを有する湾曲線上で、釣糸の先端部をスライド可能に係止するよう構成されており、
前記複数の山部の最も後側にある最後山部は、前記複数の山部の最も前にある最前山部の頂点と当該釣り用ルアーの重心とを通る軸線から離れる方向へ突出し、
前記最後山部は、それの頂点より前側部分が前方へ向かうにつれて前記軸線に近づくように傾斜する釣り用ルアー。
【請求項２】
前記最前山部の頂点とルアー本体の重心とを結ぶ軸線、前記最後山部の頂点と前記重心とを通る第１の直線、及び前記最後山部の頂点を通り最後山部の前側部分の傾斜方向に延びる第２の直線が、前記軸線及び前記第１の直線に垂直な方向から見て三角形を形成し、この三角形の内角のうち前記第１の直線と前記第２の直線のなす角が９０度以下である請求項１に記載の釣り用ルアー。
【請求項３】
前記三角形の内角のうち前記軸線と前記第１の直線のなす角が９０度以下である請求項２に記載の釣り用ルアー。
【請求項４】
前記釣糸用フックは、線材を湾曲させて形成され、前記複数の山部の最も前側にある最前山部の頂点からルアー本体との前側の結合部までの前端部分と、前記複数の山部の最も後側にある最後山部の頂点からルアー本体との後側の結合部までの後端部分との距離が、ルアー本体から離れるに従って小さくなる請求項１〜請求項３のいずれか１項に記載の釣り用ルアー。
【発明の詳細な説明】
【技術分野】
【０００１】
この発明は、海や湖等でのルアーフィッシングに用いる釣り用ルアーに関する。
【背景技術】
【０００２】
近年、釣糸用フックと釣糸の連結部をスライド移動可能とすることで、ルアー本体が小魚に似た動きをするように構成された釣り用ルアーが提案されている。例えば、本出願の発明者は、図９に示すような、線材をハート型に湾曲させて形成した釣糸用フックを備える釣り用ルアーを提案している（特許文献１参照）。【０００３】
特許文献１に係る釣り用ルアー５０１の釣糸用フック５０３は、図９に示すように、ハート形の凹部を挟む一対の湾曲部分のうち一方の湾曲部分５１７をルアー本体５０２の前端から前方へ突出させるとともに他方の湾曲部分５１８を一方の湾曲部分５１７よりやや後方において斜め前方へ突出させている。特許文献１の釣り用ルアー５０１では、この他方の湾曲部分５１８に釣糸５１３の先端を係止させてルアー５０１を操作とすることでルアー５０１の姿勢を水平に近づけるよう揺動させ、初心者でもルアーに小魚に似た動きをさせることを可能とするものである。
【先行技術文献】
【特許文献】
【０００４】
【特許文献１】特開２００７−１９５４８２号公報
【発明の概要】
【発明が解決しようとする課題】
【０００５】
しかし、図９（ａ）に示すように、このハート型の釣糸用フック５０３を備える釣り用ルアー５０１を水中から引き上げる際、釣糸５１３が釣糸用フック５０３の後側の湾曲部分５１８に係止した状態でルアー５０１の引き上げを開始すると、そのまま後側の湾曲部分５１８に釣糸５１３が係止したまま釣り用ルアー５０１が引き上げられる場合が多い。すると、図９（ｂ）に示すように、ルアー本体５０２が釣糸５１３をねじる方向に回転して、釣糸５１３が釣糸用フック５０３に巻き付き、もつれてしまう虞が有る。【０００６】
本発明は、前記課題に鑑みてなされたものであり、釣糸が釣糸用フックに巻き付いてもつれることを抑制できる釣り用ルアーの提供を目的とする。
【課題を解決するための手段】
【０００７】
前記課題を解決するためになされた発明は、ルアー本体と、前記ルアー本体の前端部に設けられる釣糸用フックとを備え、前記釣糸用フックは、前記ルアー本体の外方へ突出する複数の山部とこれらの山部の間に設けられる谷部とを有する湾曲線上で、釣糸の先端部をスライド可能に係止するよう構成されており、前記複数の山部の最も後側にある最後山部は、前記複数の山部の最も前にある最前山部の頂点と当該釣り用ルアーの重心とを通る軸線から離れる方向へ突出し、前記最後山部は、それの頂点より前側部分が前方へ向かうにつれて前記軸線に近づくように傾斜する釣り用ルアーである。【０００８】
このように、最後山部が、最前山部の頂点と当該釣り用ルアーの重心とを結ぶ軸線から離れる方向へ突出し、最後山部の頂点より前側部分が前方へ向かうにつれて前記軸線に近づくように傾斜することで、釣糸を引っ張って釣り用ルアーを引き上げる際に、最後山部から前側の山部へと釣糸の係止部が移動し易くなるため、釣糸の係止部がルアー本体の先端にかつ前記軸線に近づき、ルアー本体の釣糸をねじる方向の回転を少なくできるため、釣糸用フックに釣糸が巻きついてもつれることを抑制することができる。【０００９】
また、本発明の釣り用ルアーは、前記最前山部の頂点とルアー本体の重心とを結ぶ軸線、前記最後山部の頂点と前記重心とを通る第１の直線、及び前記最後山部の頂点を通り最後山部の前側部分の傾斜方向に延びる第２の直線が、前記軸線及び前記第１の直線に垂直な方向から見て三角形を形成し、この三角形の内角のうち前記第１の直線と前記第２の直線のなす角が９０度以下であることが好ましい。
最後山部の頂点に釣糸を係止して第１の直線が鉛直方向となるように釣り用ルアーを吊り下げたとき、前記第１の直線と前記第２の直線のなす角が９０度であれば、最後山部の頂点より前側部分（第１の直線）が水平になり、また前記第１の直線と前記第２の直線のなす角が鋭角（９０度未満）であれば、この前側部分（第１の直線）が前方に向かうにつれ下側に向かうよう傾斜するため、最後山部に係止した釣糸が外れにくい。【００１０】
また、前記三角形の内角のうち前記軸線と前記第１の直線のなす角が９０度以下であることが好ましい。これにより、最後山部に釣糸を係止した際、当該釣り用ルアーの重心がルアー本体の前側過ぎてルアー本体の頭側が下がり、釣糸を最前山部へ移動させにくくなることを抑制できる。【００１１】
また、前記釣糸用フックは、線材を湾曲させて形成され、前記複数の山部の最も前側にある最前山部の頂点からルアー本体との前側の結合部までの前端部分と、前記複数の山部の最も後側にある最後山部の頂点からルアー本体との後側の結合部までの後端部分との距離が、ルアー本体から離れるに従って小さくなることが好ましい。
例えば、釣糸用フックをハート形の線材で形成した場合、図９に示すように、釣糸用フックの前端部分と後端部分の両方を巻き込むように釣糸がからみついてもつれると、釣糸用フックの前端部分と後端部分の距離がルアー本体との結合部分から離れるに従って大きくなるため（フックの頭のほうが大きいため）、もつれた釣糸を切らなければ外すことができない。釣糸用フックの前端部分と後端部分の距離をルアー本体との結合部分から離れるに従って小さくなるよう設けることで、釣糸用フックに釣糸がもつれ付いても、容易に釣糸を外すことができる。【００１２】
ここで、「軸線」及び「直線」は両端を有さない無限に長い直線をいうものとする。「山部の頂点」とは、その山部に釣糸の先端を摺動自在に係止し、重力と釣糸からの力以外に釣り用ルアーに力が加わらない状態で釣り用ルアーを吊り下げた場合に、釣糸の先端が係止する点をいうものとする。「前記軸線及び前記第１の直線に垂直な方向から見て三角形を形成し」とは、当該軸線と第２の直線とが交わらずに交差する場合をも含むことを意味する。また、「距離が、ルアー本体から離れるに従って小さくなる」とは、部分的に互いの距離が変わらない箇所が有る場合を含むものとする。
【発明の効果】
【００１３】
以上説明したように、本発明の釣り用ルアーによれば、釣糸が釣糸用フックに巻き付いてもつれることを抑制することができる。
【図面の簡単な説明】
【００１４】
【図１】本発明の第１実施形態に係る釣り用ルアーの側面図である。
【図２】図１に示した釣り用ルアーの平面図である。
【図３】図１に示した釣り用ルアーの正面図である。
【図４】本発明の第２実施形態に係る釣り用ルアーの側面図である。
【図５】図４に示した釣り用ルアーの平面図である。
【図６】（ａ）本発明の第３実施形態に係る釣り用ルアーの側面図である。            （ｂ）（ａ）のＡ−Ａ視断面図である。
【図７】図１の釣り用ルアーを水中で動かす様子を示した説明図である。
【図８】図１の釣り用ルアーを水上へ引き上げる様子を示した説明図である。
【図９】従来の釣り用ルアーの釣糸用フックに釣糸が巻きつく様子を示した説明図である。
【発明を実施するための形態】
【００１５】
以下、図面を参照しながら、本発明の実施の形態について説明する。尚、本発明の釣り用ルアーは、以下の実施の形態に限られるものではない。
【００１６】
＜第１実施形態＞
図１は、本発明の第１実施形態に係る釣り用ルアー１であり、この釣り用ルアー１は、主にルアー本体２と釣糸用フック３と釣針用フック４とを備えている。
【００１７】
ルアー本体２は、金属製であり、海水等の流体から受ける抵抗が小さくなるように全体が細長い小魚の体を模した流線形をなしている。釣竿からの釣糸１３を連結するルアー本体２の前端部５は、丸みのある尖頭形状を有しており、ルアー本体２の後端面６は、前後方向（図１及び図２の左右方向）に略垂直な平面である。ここで、前端部５とは、例えば、ルアー本体２の前端５ａからルアー本体２の前後方向の全長の３分の１程度の部分をいう。
ルアー本体２の前後方向に垂直な断面（図示せず）は、ルアー本体２の幅方向（図３の左右方向）に長い楕円形を有し、ルアー本体２は、前端５ａから前後方向の中央部にかけて徐々に太くなり、中央部から後端にかけて徐々に細くなる。図１及び図２に示すように、ルアー本体２の上面９及び両側面７，７は外方向に膨らんだ曲面であり、ルアー本体２の底面１０は、略平面に形成されている。ルアー本体２は、図１に示すように前端５ａから後方に全長の約４分の１の位置に重心Ｇを有している。
尚、本発明に係るルアー本体２は、図示の形状に限定されず他の形状であってもよく、また金属製に限らず、木製、樹脂製、陶器製、ガラス製の他公知の材料を適宜用いることができる。また、ルアー本体２の表面には魚や虫その他の生物を模した模様を適宜付すことができるが、この模様の図示は省略する。
【００１８】
釣糸用フック３は、図１に示すように、金属製の線材を湾曲させて形成される。図２に示すように、釣糸用フック３は、ルアー本体２の前端部５において、ルアー本体２の上面９を左右（図２の上下）対称に分断する中心線１２上に立設されている。釣糸用フック３は、ルアー本体２の前端５ａから前方に突出する最前山部１７と、ルアー本体２の前端５ａより後方で上方（図１の上方）へ突出する最後山部１８と、最前山部１７と最後山部１８の間に設けられる谷部２０とを備えている。
【００１９】
最後山部１８は、最前山部１７の頂点１７ａと釣り用ルアー１の重心Ｇを結ぶ軸線Ｈから離間する方向に突出し、最後山部１８の頂点１８ａより前側部分１８ｂは、前方ほど軸線Ｈに近づくような傾斜に設けられている。これにより、図８に示すように、釣糸１３をリールで巻き上げて釣り用ルアー１を水中で上昇させる際に、釣糸１３の先端部１３ａがルアー本体２の前側に移動して釣糸用フック３の最前山部１７に釣糸１３の先端部１３ａが係止するため、ルアー本体２が釣糸１３をよじるように回転することを抑制できる。
【００２０】
また、最後山部１８の頂点１８ａと重心Ｇを結ぶ第１の直線Ｉと、頂点１８ａを通り、最後山部１８の頂点１８ａより前側部分１８ｂの傾斜方向に延びる第２の直線Ｊと、軸線Ｈとが、軸線Ｈ及び第１の直線Ｉに垂直な方向から見て三角形Ｔを形成し、三角形Ｔの内角のうち第１の直線Ｉと第２の直線Ｊとのなす角θ１が９０度以下となることが好ましく、鋭角であることが特に好ましい。最後山部１８の頂点１８ａに釣り糸１３を係止して、第１の直線Ｉが鉛直方向に延びるよう釣り用ルアー１を吊り下げた場合に、θ１が９０度より大きければ最後山部１８の前側部分１８ｂはルアー本体２の前側に向かうにつれ（この吊り下げた状態における）上方に傾斜することになる。このため釣り糸１３の先端部１３ａがルアー本体２前側へスライドして最後山部１８から外れやすく、ルアー本体２を水平に向ける操作がしにくい虞が有る。θ１が９０度であれば、最後山部１８の前側部分１８ｂが水平になるためθ１が９０度より大きい場合に比べて釣り糸１３の先端部１３ａがルアー本体２の前側へスライドしにくく、ルアー本体２を水平にする操作がし易い。またθ１が鋭角であれば、図７のＹに示すように、最後山部１８の前側部分１８ｂは、ルアー本体２の前方へ向かうにつれ、（この吊り下げた状態における）下方へ向かうよう傾斜することとなり、最後山部１８に釣糸１３を係止させて釣り用ルアー１を操作する際に、最後山部１８から釣糸１３の先端部１３ａが外れることをさらに効果的に抑制することができる。
【００２１】
また、図１に示すように、三角形Ｔにおける内角のうち第１の直線Ｉと軸線Ｈのなす角θ２が９０度以下であることが好ましい。もし、角θ２が鈍角であると、ルアー本体２の重心Ｇの位置がルアー本体の前側すぎるため、最後山部１８に釣糸１３が係止したとき、ルアー本体２が前側に傾いて釣糸１３の先端１３ａを最前山部１７に戻すことが困難になる虞が有る。
【００２２】
図１に示すように、釣糸用フック３の最前山部１７の頂点１７ａからルアー本体２との前側の結合部分１５ａまでの前端部分１５は、ルアー本体２の先端５ａから前方かつ斜め上方に延出している。また、釣糸用フック３の最後山部１８の頂点１８ａからルアー本体２との結合部１６ａまでの後端部分１６は、上面９の中心線１２上から前方かつ斜め上方に向かって延出している。釣り用フック３の前端部分１５と、後端部分１６との距離は、図１の仮想線３０，３１で示すように、ルアー本体２から離れるに従って小さくなることが好ましい。
これにより、釣糸用フック３の前端部分１５と後端部分１６とを両方巻き込むように絡みついてもつれた釣糸１３を釣糸用フック３から容易に取り外すことができる。
ただし、前端部分１５と、後端部分１６において、互いに平行な部分がある場合も本発明に含むものとする。
【００２３】
最後山部１８は、水中において前後方向を鉛直に立てた状態のルアー本体２を水平方向に寝かせるために用いられる。即ち、最後山部１８に釣糸１３の先端１３ａを係止した状態で釣糸１３を上下させると、上方からの水圧によって、ルアー本体２が前後方向を水平方向に近づけるよう姿勢を変える。本実施形態では、最後山部１８は、上述するようにルアー本体１の前端５ａよりルアー本体２の後方に位置するため、最後山部１８が前端５ａより前側に位置する場合に比べ、ルアー本体２を容易に水平に寝かせることができる。
また、最後山部１８は、前端部分１５とルアー本体２の結合部１５ａよりもルアー本体２の後方に位置するため、水中で最後山部１８に釣糸１３が係止して、前後方向を鉛直に立てたルアー本体２が釣糸１３をよじる向きに回転しても、釣糸用フック３に釣糸１３が巻き付きにくい。
【００２４】
また、釣糸用フック３の谷部２０と最前山部１７とを連絡する連絡部１９は、ルアー本体２の上面９の対面する部分の傾斜にあわせて傾斜するとともに、前方に向かうにつれて、軸線Ｈに近付くように傾いている。これにより、水中にある釣り用ルアーの姿勢を操作する際に、最前山部１７から最後山部１８へ釣糸１３の先端部１３ａを移動させることが容易になる。
【００２５】
釣糸用フック３は、上述したような中心線１２上からルアー本体２の上方へ突出するものに限らず、中心線１２から左右いずれかに傾いた状態で上面９から斜め上方に突出するよう設けてもよく、ルアー本体２の側面７，７から水平方向に突出するように設けてもよい。こうすることで、釣り用ルアー１にユニークな動きをさせることが可能となる。
【００２６】
釣針用フック４は、有端の環状の線材であり、両端をルアー本体２に埋め込むようにしてルアー本体２に取り付けられている。釣針用フック４は、ルアー本体２の後端面６に平面視で環状に見えるように取り付けられている。
ただし、釣針用フック４は、底面１０に取り付けてもよいし、後端面６と底面１０の両方に取り付けてもよく、これら以外の他の場所に取り付けてもよい。また、釣針用フック４は、１個だけ設けることもできるし、２個以上設けることもできる。
釣針用フック４には、釣針１４が取り付けられる。
【００２７】
釣糸用フック３、釣針用フック４は、ルアー本体２の内部に設けられる骨格（図示せず）と同じ線材から一体的に設けられる。ただし、これらは別の部材により個別に設けてもよい。
【００２８】
次に、釣り用ルアー１を用いて釣りを行う方法について説明する。釣り用ルアー１を用いて釣りを行う場合には、まず釣糸用フック３に釣糸１３の先端部１３ａをスライド可能に結び付ける。釣糸１３の先端部１３ａは、スイベルやリングを介して釣糸用フック３に連結してもよい。釣針用フック４には釣り針１４を取り付ける。
【００２９】
この後、釣糸１３に取り付けた釣り用ルアー１を水中に投げ込む。図７は、水中に投げ込んだ釣り用ルアー１を示している。図７においてＸは、釣糸１３の先端部１３ａが釣糸用フック１３に係止した状態を示しており、釣り用ルアー１は、自重によって軸線Ｈを鉛直方向に向けている。次に、釣竿を操作して釣糸１３の先端１３ａを釣糸用フック３の最後山部１８に移動させる。この際、釣糸用フック３の谷部２０の連絡部１９は、ルアー本体２の後方へ向かうに従い、軸線Ｈから遠ざかるように傾斜しているため、釣糸１３の先端部１３ａを最前山部１７から最後山部１８へと移動させることが容易である。
釣糸１３の先端部１３ａが最後山部１８に係止した状態で釣糸１３を上下させると、ルアー本体２は、上方からの水圧を受けて図７のＹやＺのようにルアー本体２の前後方向を水平方向に近づけるよう揺動する。ここで、最後山部１８に釣糸１３の先端部１３ａを係止させ、自重により、最後山部の頂点１８ａとルアー本体２の重心Ｇを通る第１の直線Ｉが鉛直方向を向いたとき（図７のＹ参照）、最後山部１８の前側部分１８ｂは、直線Ｊで示すように、前側が下方を向くため、最後山部に係止した糸が外れにくい。
【００３０】
釣糸１３を巻き上げて釣り用ルアー１を引き上げる際には、図８に示すように、最後山部１８の前側部分１８ｂがルアー本体２の前方へ向かうにつれて軸線Ｈに近づくように傾斜するため、最後山部１８に係止していた釣糸用フック３の先端部１３ａが最前山部１７へ移動する。釣り用ルアー１は、釣糸用フック３の最前山部１７に係止した釣糸により上方へ引き上げられるため、釣糸１３をねじるように回転することが少ない。
【００３１】
＜第２実施形態＞
次に、図４及び図５を用いて、本発明の第２実施形態について詳述する。第２実施形態の釣り用ルアー１０１は、第１実施形態の釣り用ルアー１と釣糸用フック１０３のみが異なり、その他の部分については、第1実施形態の釣り用ルアー１と共通するため、同一符号を付して説明を省略する。
【００３２】
釣糸用フック１０３は、第1実施形態の釣糸用フック３と同様、金属製の線材を湾曲させて形成され、図５に示すように、ルアー本体２の上面９を左右（図５の上下）対称に分断する中心線１２上に立設されている。釣糸用フック１０３は、ルアー本体２の前端５ａからさらに前方に突出する最前山部１１７と、ルアー本体２の前端５ａのすぐ後方で上方（図４の上方）へ突出する中間山部１２０と、中間山部１２０のさらに後方において上方へ突出する最後山部１１８とを備えている。
【００３３】
最後山部１１８の頂点１１８ａは、図４に示すように中間山部１２０の頂点１２０ａより、最前山部１１７の頂点１１７ａとルアー本体２の重心Ｇとを結ぶ軸線Ｈから離れている。また、最後山部１１８は、頂点１１８ａより前側部分１１８ｂが、前方ほど軸線Ｈに近づくような傾斜に設けられている。これにより、釣糸１３をリールで巻き上げて、釣り用ルアー１０１を水中で上昇させる際に、釣糸１３の先端部１３ａがルアー本体２の前側かつ軸線Ｈ側に移動し中間山部１２０あるいは最前山部１１７に係止するため、ルアー本体２が釣糸１３をよじるように回転することを抑制できる。
【００３４】
釣糸用フック１０３は、図４の仮想線１３０，１３１で示すように、最前山部１１７の頂点１１７ａからルアー本体２との前側の結合部１１５ａまでの前端部分１１５と、最後山部１１８の頂点１１８ａからルアー本体２との後側の結合部１１６ａまでの後端部分１１６との距離が、ルアー本体２から離れるに従って小さくなるよう設けられている。
【００３５】
釣り用ルアー１０１は、釣糸１３の先端部１３ａを釣糸用フック１０３の最後山部１１８に係止させたり中間山部１２０に係止させたりして釣糸１３を上下させることで、釣り用ルアー１０１に、より多様な動きをさせることができる。
【００３６】
最後山部１１８の頂点１１８ａとルアー本体２の重心Ｇを結ぶ直線を第１の直線Ｉとし、頂点１１８ａを通り最後山部１１８の前側部分１１８ｂの傾斜方向に延びる直線を第２の直線Ｊとすると、第２実施形態においても、軸線Ｈ、第１の直線Ｉ及び第２の直線Ｊが作る三角形Ｔの内角のうち第１の直線Ｉと第２の直線Ｊのなす角θ１が９０度以下であることが好ましく、加えて軸線Ｈと第１の直線のなす角θ２が９０度以下であることが、特に好ましい。
また、実施形態２を含め、山部が３つ以上有る場合に、最前山部と最後山部の間にある各山部の頂点より前側部分の傾斜方向に延びる直線（図示せず）は、軸線Ｈ及び第１の直線Ｉとの関係において、第２の直線Ｊと同様の範囲の傾斜を有することが好ましい。
【００３７】
＜第３実施形態＞
次に、図６に示した第３実施形態に係る釣り用ルアー２０１について説明する。第３実施形態の釣り用ルアー２０１は、第１及び第２実施形態の釣り用ルアー１，１０１と釣糸用フック２０３のみが異なり、その他の部分については、第１及び第２実施形態の釣り用ルアー１と共通するため、同一符号を付して説明を省略する。
【００３８】
釣り用ルアー２０１の釣糸用フック２０３は、ルアー本体２と一体的に形成され、上面９の中心線１２（図示せず）上に立設される板状の部分からなる。釣糸用フック２０３は、外側の端面が前後方向に延びる長溝２２２を備えている。長溝２２２には、スイベル２２１がスライド可能に係止されている。長溝２２２は、断面が入口より内側が広い逆Ｔ字形状を有している。スイベル２２１の係止部２２１ａがこの逆Ｔ字型の空間の内側部分に嵌挿されることにより、スイベル２２１が長溝２２２に係止されている。釣糸１３は、スイベル２２１を介して釣糸用フック２０３に連結される。
【００３９】
長溝２２２は、ルアー本体２の前端５ａから前方へ突出する山部２１７と、ルアー本体２の前端５ａより後方においてルアー本体２の上方へ突出する最後山部２１８とを備えている。最後山部２１８は、最前山部２１７の頂点２１７ａとルアー本体２の重心Ｇを結ぶ軸線Ｈから離間する方向へ突出し、最後山部２１８の前側部分２１８ｂは、前方へ向かうにつれて軸線Ｈに近付くよう傾斜している。
【００４０】
最後山部２１８の頂点２１８ａとルアー本体２の重心Ｇを結ぶ直線を第１の直線Ｉとし、最後山部２１８の前側部分２１８ｂを延長した直線を第２の直線Ｊとすると、第３実施形態においても軸線Ｈ、第１の直線Ｉ及び第２の直線Ｊが作る三角形Ｔの内角のうち第１の直線Ｉと第２の直線Ｊのなす角θ１は９０度以下であることが好ましく、加えて軸線Ｈと第１の直線のなす角θ２も９０度以下であることが、特に好ましい。
【００４１】
尚、本発明は前記の各実施例に限定されず、例えば、釣糸用フックの最前山部がルアー本体の前端より後方に位置してもよいし、山部を４つ以上備えていてもよい。
【産業上の利用可能性】
【００４２】
以上説明したように、本発明の釣り用ルアーは、釣糸用フックが水中での姿勢を操作するための係止部を複数備えながらも、水中から引き上げる際には釣糸が釣糸用フックにからまってもつれることを抑制できるため、ルアーフィッシングに用いる各種の釣り用ルアーに好適に用いることができる。
【符号の説明】
【００４３】
１，１０１，２０１          釣り用ルアー
２                          ルアー本体
３，１０３，２０３          釣針用フック
４                          釣糸用フック
５                          前端部
１３                        釣糸
１３ａ                      釣糸の先端部
１５，１１５                釣糸用フックの前端部分
１５ａ，１１５ａ            釣糸用フックとルアー本体との前側の結合部
１６，１１６                釣糸用フックの後端部分
１６ａ，１１６ａ            釣糸用フックとルアー本体との後側の結合部
１７，１１７，２１７        最前山部（山部）
１７ａ，１１７ａ，２１７ａ  最前山部の頂点
１８，１１８，２１８        最後山部（山部）
１８ａ，１１８ａ，２１８ａ  最後山部の頂点
１８ｂ，１１８ｂ            最後山部の前側部分
１２０                      中間山部（山部）
２０                        谷部
２０ａ                      谷底
Ｇ                          重心
Ｈ                          軸線
Ｉ                          第１の直線
Ｊ                          第２の直線
Ｔ                          三角形
【図１】
0005838213.tif 000002
【図２】
0005838213.tif 000003
【図３】
0005838213.tif 000004
【図４】
0005838213.tif 000005
【図５】
0005838213.tif 000006
【図６】
0005838213.tif 000007
【図７】
0005838213.tif 000008
【図８】
0005838213.tif 000009
【図９】
0005838213.tif 000010